【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
移動局装置と通信する基地局装置であって、
下りリンクコンポーネントキャリアの設定に関する第１の情報を前記移動局装置へ送信する手段と、
前記設定された下りリンクコンポーネントキャリアを非活性化することを指示するために使用される第２の情報を前記移動局装置へ送信する手段と、
前記非活性化された下りリンクリンクコンポーネントキャリアに関連する下りリンクトランスポートブロックに対する否定応答（ＮＡＣＫ）を示す情報を前記移動局装置から受信する手段と、を備えることを特徴とする基地局装置。
【請求項２】
移動局装置と通信する基地局装置であって、
下りリンクコンポーネントキャリアの設定に関する第１の情報を前記移動局装置へ送信する手段と、
前記設定された下りリンクコンポーネントキャリアを非活性化することを指示するために使用される第２の情報を前記移動局装置へ送信する手段と、
前記非活性化された下りリンクリンクコンポーネントキャリアに関連する下りリンクトランスポートブロックに対する非連続送信（ＤＴＸ）を示す情報を前記移動局装置から受信する手段と、を備えることを特徴とする基地局装置。
【請求項３】
移動局装置と通信する基地局装置であって、
下りリンクコンポーネントキャリアの設定に関する第１の情報を前記移動局装置へ送信する手段と、
前記設定された下りリンクコンポーネントキャリアを非活性化することを指示するために使用される第２の情報を前記移動局装置へ送信する手段と、
前記非活性化された下りリンクリンクコンポーネントキャリアに関連する下りリンクトランスポートブロックに対する否定応答（ＮＡＣＫ）を示す情報／非連続送信（ＤＴＸ）を示す情報を前記移動局装置から受信する手段と、を備えることを特徴とする基地局装置。
【請求項４】
前記第１の情報を、無線リソース制御信号を使用して前記移動局装置へ送信することを特徴とする請求項１から請求項３のいずれかに記載の基地局装置。
【請求項５】
前記第２の情報を、ＭＡＣコントロールエレメントを使用して前記移動局装置へ送信することを特徴とする請求項１または請求項４のいずれかに記載の基地局装置。
【請求項６】
基地局装置と通信する移動局装置であって、
下りリンクコンポーネントキャリアの設定に関する第１の情報を前記基地局装置から受信する手段と、
前記設定された下りリンクコンポーネントキャリアを非活性化することを指示するために使用される第２の情報を前記基地局装置から受信する手段と、
前記非活性化された下りリンクリンクコンポーネントキャリアに関連する下りリンクトランスポートブロックに対する否定応答（ＮＡＣＫ）を示す情報を前記基地局装置へ送信する手段と、を備えることを特徴とする移動局装置。
【請求項７】
基地局装置と通信する移動局装置であって、
下りリンクコンポーネントキャリアの設定に関する第１の情報を前記基地局装置から受信する手段と、
前記設定された下りリンクコンポーネントキャリアを非活性化することを指示するために使用される第２の情報を前記基地局装置から受信する手段と、
前記非活性化された下りリンクリンクコンポーネントキャリアに関連する下りリンクトランスポートブロックに対する非連続送信（ＤＴＸ）を示す情報を前記基地局装置へ送信する手段と、を備えることを特徴とする移動局装置。
【請求項８】
基地局装置と通信する移動局装置であって、
下りリンクコンポーネントキャリアの設定に関する第１の情報を前記基地局装置から受信する手段と、
前記設定された下りリンクコンポーネントキャリアを非活性化するために使用される第２の情報を前記基地局装置から受信する手段と、
前記非活性化された下りリンクリンクコンポーネントキャリアに関連する下りリンクトランスポートブロックに対する否定応答（ＮＡＣＫ）を示す情報／非連続送信（ＤＴＸ）を示す情報を前記基地局装置へ送信する手段と、を備えることを特徴とする移動局装置。
【請求項９】
前記第１の情報を、無線リソース制御信号を使用して前記基地局装置から受信することを特徴とする請求項６から請求項８のいずれかに記載の移動局装置。
【請求項１０】
前記第２の情報を、ＭＡＣコントロールエレメントを使用して前記基地局装置から受信することを特徴とする請求項６から請求項９のいずれかに記載の移動局装置。
【請求項１１】
移動局装置と通信する基地局装置に用いられる集積回路であって、
下りリンクコンポーネントキャリアの設定に関する第１の情報を前記移動局装置へ送信する機能と、
前記設定された下りリンクコンポーネントキャリアを非活性化することを指示するために使用される第２の情報を前記移動局装置へ送信する機能と、
前記非活性化された下りリンクリンクコンポーネントキャリアに関連する下りリンクトランスポートブロックに対する否定応答（ＮＡＣＫ）を示す情報を前記移動局装置から受信する機能と、を前記基地局装置に発揮させることを特徴とする集積回路。
【請求項１２】
移動局装置と通信する基地局装置に用いられる集積回路であって、
下りリンクコンポーネントキャリアの設定に関する第１の情報を前記移動局装置へ送信する機能と、
前記設定された下りリンクコンポーネントキャリアを非活性化することを指示するために使用される第２の情報を前記移動局装置へ送信する機能と、
前記非活性化された下りリンクリンクコンポーネントキャリアに関連する下りリンクトランスポートブロックに対する非連続送信（ＤＴＸ）を示す情報を前記移動局装置から受信する機能と、を前記基地局装置に発揮させることを特徴とする集積回路。
【請求項１３】
移動局装置と通信する基地局装置に用いられる集積回路であって、
下りリンクコンポーネントキャリアの設定に関する第１の情報を前記移動局装置へ送信する機能と、
前記設定された下りリンクコンポーネントキャリアを非活性化することを指示するために使用される第２の情報を前記移動局装置へ送信する機能と、
前記非活性化された下りリンクリンクコンポーネントキャリアに関連する下りリンクトランスポートブロックに対する否定応答（ＮＡＣＫ）を示す情報／非連続送信（ＤＴＸ）を示す情報を前記移動局装置から機能する機能と、を前記基地局装置に発揮させることを特徴とする集積回路。
【請求項１４】
基地局装置と通信する移動局装置に用いられる集積回路であって、
下りリンクコンポーネントキャリアの設定に関する第１の情報を前記基地局装置から受信する機能と、
前記設定された下りリンクコンポーネントキャリアを非活性化することを指示するために使用される第２の情報を前記基地局装置から受信する機能と、
前記非活性化された下りリンクリンクコンポーネントキャリアに関連する下りリンクトランスポートブロックに対する否定応答（ＮＡＣＫ）を示す情報を前記基地局装置へ送信する機能と、を前記移動局装置に発揮させることを特徴とする集積回路。
【請求項１５】
基地局装置と通信する移動局装置に用いられる集積回路であって、
下りリンクコンポーネントキャリアの設定に関する第１の情報を前記基地局装置から受信する機能と、
前記設定された下りリンクコンポーネントキャリアを非活性化することを指示するために使用される第２の情報を前記基地局装置から受信する機能と、
前記非活性化された下りリンクリンクコンポーネントキャリアに関連する下りリンクトランスポートブロックに対する非連続送信（ＤＴＸ）を示す情報を前記基地局装置へ送信する機能と、を前記移動局装置に発揮させることを特徴とする集積回路。
【請求項１６】
基地局装置と通信する移動局装置に用いられる集積回路であって、
下りリンクコンポーネントキャリアの設定に関する第１の情報を前記基地局装置から受信する機能と、
前記設定された下りリンクコンポーネントキャリアを非活性化することを指示するために使用される第２の情報を前記基地局装置から受信する機能と、
前記非活性化された下りリンクリンクコンポーネントキャリアに関連する下りリンクトランスポートブロックに対する否定応答（ＮＡＣＫ）を示す情報／非連続送信（ＤＴＸ）を示す情報を前記基地局装置へ送信する機能と、を前記移動局装置に発揮させることを特徴とする集積回路。
【請求項１７】
前記非活性化された下りリンクリンクコンポーネントキャリアに関連する下りリンクトランスポートブロックに対する否定応答（ＮＡＣＫ）を示す情報を、物理上りリンク共用チャネルを使用して前記移動局装置から受信することを特徴とする請求項１に記載の基地局装置。
【請求項１８】
前記非活性化された下りリンクリンクコンポーネントキャリアに関連する下りリンクトランスポートブロックに対する否定応答（ＮＡＣＫ）を示す情報を、物理上りリンク共用チャネルを使用して前記基地局装置へ送信することを特徴とする請求項６に記載の移動局装置。
【請求項１９】
前記移動局装置へ送信した少なくとも１つの下りリンクトランスポートブロックに対する肯定応答（ＡＣＫ）を示す情報または否定応答（ＮＡＣＫ）を示す情報とともに、前記非活性化された下りリンクリンクコンポーネントキャリアに関連する下りリンクトランスポートブロックに対する否定応答（ＮＡＣＫ）を示す情報を、物理上りリンク共用チャネルを使用して前記移動局装置から受信することを特徴とする請求項１に記載の基地局装置。
【請求項２０】
前記基地局装置から受信した少なくとも１つの下りリンクトランスポートブロックに対する肯定応答（ＡＣＫ）を示す情報または否定応答（ＮＡＣＫ）を示す情報とともに、前記非活性化された下りリンクリンクコンポーネントキャリアに関連する下りリンクトランスポートブロックに対する前記否定応答（ＮＡＣＫ）を示す情報を、物理上りリンク共用チャネルを使用して前記基地局装置へ送信することを特徴とする請求項６に記載の移動局装置。
【請求項２１】
前記非活性化された下りリンクコンポーネントキャリアに対する物理下りリンク制御チャネルの検出は、前記移動局装置によって行われないことを特徴とする請求項１または請求項１７に記載の基地局装置。
【請求項２２】
前記非活性化された下りリンクコンポーネントキャリアに対する物理下りリンク共用チャネルの検出は、前記移動局装置によって行われないことを特徴とする請求項１または請求項１７または請求項２１に記載の基地局装置。
【請求項２３】
前記非活性化された下りリンクコンポーネントキャリアに対する物理下りリンク制御チャネルの検出を行わないことを特徴とする請求項６または請求項１８に記載の移動局装置。
【請求項２４】
前記非活性化された下りリンクコンポーネントキャリアに対する物理下りリンク共用チャネルの検出を行なわないことを特徴とする請求項６または請求項１８または請求項２３に記載の移動局装置。